(57)【要約】【課題】シートフレームに作用する荷重を歪センサで検出する従来の構成では、乗員の着座姿勢により重心位置が変わって歪センサに正確な体重が印加されなかったり、乗員が車両床面に足を置いていると体重が足と座面とに分散されて歪センサでは正確な体重が検出できないといった課題があった。【解決手段】車両の乗員となりうる生体の生体情報として少なくとも前記生体の体重情報を入力可能な生体情報入力手段６を車両に備えたもので、生体情報入力手段６により乗員の体重情報を直接的または間接的に入力可能なので、正確な体重情報を取得することができる。【選択図】図１
2005206098.tif 000002
【特許請求の範囲】
【請求項１】
車両の乗員となりうる生体の生体情報として少なくとも前記生体の体重情報を入力可能な生体情報入力手段を車両に備えた車両用の生体認証システム。
【請求項２】
車両の乗員となりうる生体の生体情報として少なくとも前記生体の識別情報と体重情報とを記憶した生体情報記憶手段と、前記生体情報記憶手段に記憶された識別情報を表示する表示手段と、前記表示手段により表示された識別情報を選択可能な情報選択手段と、前記情報選択部で選択された識別情報に対応する体重情報を前記生体情報記憶手段から取得する体重情報取得手段とを備えた生体認証システム。
【請求項３】
車両の乗員となりうる生体の生体情報として少なくとも前記生体の体重情報を記憶した携帯可能な生体情報記憶手段と、前記生体情報記憶手段に記憶された体重情報を取得する体重情報取得手段とを備えた生体認証システム。
【請求項４】
車両の乗員となりうる生体の生体情報として少なくとも前記生体の識別情報と体重情報とを記憶した生体情報記憶手段と、前記生体の識別情報を記憶した携帯可能な識別情報記憶手段と、前記識別情報記憶手段に記憶された識別情報を取得する識別情報取得手段と、前記識別情報取得手段により取得された識別情報に対応する体重情報を前記生体情報記憶手段から取得する体重情報取得手段とを備えた生体認証システム。
【請求項５】
生体情報記憶手段は情報ネットワークに接続されたサーバに内蔵され、体重情報取得手段は前記情報ネットワークを介して前記サーバにアクセスして前記生体情報記憶手段に記憶された体重情報を取得する請求項４記載の生体認証システム。
【請求項６】
測定した体重情報を生体情報記憶手段に書き込み可能な体重測定手段を備えた請求項２〜５のいずれか１項記載の生体認証システム。
【請求項７】
請求項１〜６のいずれか１項記載の生体認証システムの機能の少なくとも一部をコンピュータに実行させるためのプログラム。
【請求項８】
請求項１〜６に記載の生体認証システムを備えて動作する車両搭載機器。
【発明の詳細な説明】
【技術分野】
【０００１】
本発明は、乗員の生体情報を取得する車両用の生体認証システムに関するものである。
【背景技術】
【０００２】
従来、この種の生体認証システムには、座席に着座した乗員の体重を検出する体重検知システムがある（例えば、特許文献１参照）。
【０００３】
図１０は、特許文献１に記載された従来の生体認証システムである。図１０において、従来の生体認証システムは、自動車の座席１を支持するシートフレーム２と、シートフレーム２に作用する荷重を検出する歪センサ３を備えている。
【０００４】
上記構成により、座席１上に乗員が着座すると歪センサ３により乗員の体重を検出する。検出された体重に基づき、例えば、エアバッグ等の車両搭載機器の動作が制御される。
【特許文献１】特開２００３−２９１７０５号公報
【発明の開示】
【発明が解決しようとする課題】
【０００５】
しかしながら、前記従来の構成では、乗員の着座姿勢により重心位置が変わって歪センサ３に正確な体重が印加されなかったり、乗員が車両床面に足を置いていると体重が足と座面とに分散されて歪センサ３では正確な体重が検出できないといった課題があった。
【０００６】
本発明は、前記従来の課題を解決するもので、乗員の生体情報として正確な体重情報を取得する生体認証システムを提供することを目的とする。
【課題を解決するための手段】
【０００７】
前記従来の課題を解決するために、本発明の生体認証システムおよびそのプログラムは、車両の乗員となりうる生体の生体情報として少なくとも前記生体の体重情報を入力可能な生体情報入力手段を車両に備えたもので、生体情報入力手段により乗員の体重情報を直接的または間接的に入力可能なので、正確な体重情報を取得することができる。
【発明の効果】
【０００８】
本発明の生体認証システムおよびそのプログラムは、車両の乗員となりうる生体の生体情報として少なくとも前記生体の体重情報を入力可能な生体情報入力手段を車両に備えたもので、生体情報入力手段により乗員の体重情報を直接的または間接的に入力可能なので、従来のように座席に体重検出用のセンサを配設することもなく、正確な体重情報を簡便に取得することができる。
【発明を実施するための最良の形態】
【０００９】
第１の発明は、車両の乗員となりうる生体の生体情報として少なくとも前記生体の体重情報を入力可能な生体情報入力手段を車両に備えたもので、生体情報入力手段により乗員の体重情報を直接的または間接的に入力可能なので、正確な体重情報を取得することができる。
【００１０】
第２の発明は、車両の乗員となりうる生体の生体情報として少なくとも前記生体の識別情報と体重情報とを記憶した生体情報記憶手段と、前記生体情報記憶手段に記憶された識別情報を表示する表示手段と、前記表示手段により表示された識別情報を選択可能な情報選択手段と、前記情報選択部で選択された識別情報に対応する体重情報を前記生体情報記憶手段から取得する体重情報取得手段とを備えたもので、例えば、予め生体情報記憶手段に車両の乗員となりうる生体のＩＤと体重とを登録・記憶しておくと、それ以降は表示手段に表示される乗員のＩＤのリストから当該ＩＤを選択すると、選択されたＩＤに対応する体重情報を生体情報記憶手段から取得することができるので、乗車する度に体重を入力する必要が無く、利便性が向上する。
【００１１】
第３の発明は、車両の乗員となりうる生体の生体情報として少なくとも前記生体の体重情報を記憶した携帯可能な生体情報記憶手段と、前記生体情報記憶手段に記憶された体重情報を取得する体重情報取得手段とを備えたもので、例えば、生体情報記憶手段としてＩＣカードや磁気タグ、携帯型電話等に生体の体重情報を記憶し、乗員が前記生体情報記憶手段を携帯して乗車すると、体重情報取得手段が前記生体情報記憶手段に記憶された体重情報を取得するので、乗員が体重を入力したり、ＩＤを選択する必要がなく、利便性がさらに向上する。
【００１２】
第４の発明は、車両の乗員となりうる生体の生体情報として少なくとも前記生体の識別情報と体重情報とを記憶した生体情報記憶手段と、前記生体の識別情報を記憶した携帯可能な識別情報記憶手段と、前記識別情報記憶手段に記憶された識別情報を取得する識別情報取得手段と、前記識別情報取得手段により取得された識別情報に対応する体重情報を前記生体情報記憶手段から取得する体重情報取得手段とを備えたもので、例えば、識別情報記憶手段としてＩＣカードや磁気タグ、携帯型電話等に生体のＩＤを記憶し、予め生体情報記憶手段に車両の乗員となりうる生体のＩＤと体重とを登録・記憶しておくと、それ以降は乗員が前記識別情報記憶手段を携帯して乗車すると、前記識別情報取得手段が前記識別情報記憶手段に記憶された乗員のＩＤを取得し、取得されたＩＤに対応する体重情報を前記体重情報取得手段が前記生体情報記憶手段から取得するので、第３の発明と同様に、乗員が体重を入力したり、ＩＤを選択する必要がなく、利便性がさらに向上する。
【００１３】
第５の発明は、特に、第４の発明において、生体情報記憶手段はインターネットや専用回線網等の情報ネットワークに接続されたサーバに内蔵され、体重情報取得手段は前記情報ネットワークを介して前記サーバにアクセスして前記生体情報記憶手段に記憶された体重情報を取得するもので、例えば、車両のオーナー宅やカーメーカ、車両向け情報サービス会社、乗員が加入するインターネットプロバイダー等、車両外の場所に設置されたサーバに生体情報記憶手段を内蔵するので、第４の発明のように車両側こ生体情報を記憶する専用の記憶手段を設ける必要がなくなり、システムの簡素化が図れる。
【００１４】
第６の発明は、特に、第２〜第５のいずれか１つの発明において、測定した体重情報を生体情報記憶手段に書き込み可能な体重測定手段を備えたもので、体重測定の度に手動で生体情報記憶手段に書き込みを行う必要が無く、利便性が向上する。
【００１５】
第７の発明は、第１〜６の発明のいずれか記載の生体認証システムの機能の少なくとも一部をコンピュータに実行させるためのプログラムである。そして、プログラムであるので、電気・情報機器、コンピュータ、サーバー等のハードリソースを協働させて本発明の生体認証システムの少なくとも一部を容易に実現することができる。また記録媒体に記録したり通信回線を用いてプログラムを配信したりすることでプログラムの配布・更新やそのインストール作業が簡単にできる。
【００１６】
第８の発明は、第１〜６の発明に記載の生体認証システムを備えて動作する車両搭載機器である。そして生体情報入力手段により乗員の体重情報を直接的または間接的に入力可能なので、正確な体重情報を取得することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における生体認証システムの構成図である。図１において、車両内の座席１には公知の着座センサ４が配設されており、フロントパネル５には車両の乗員となりうる生体の生体情報として少なくとも前記生体の体重情報を入力可能な生体情報入力手段６が設置されている。生体情報入力手段６は、例えば、タッチ入力可能な液晶パネルから構成されており、ナビゲーション装置等と兼用してもよい。
【００１９】
以上のように構成された生体認証システムについて、以下その動作、作用を説明する。まず、乗員が座席１に着座すると着座センサ４が乗員の着座を検出する。生体情報入力手段６は着座センサ４で乗員の着座が検出されると、液晶パネルの画面上に乗員が着座した座席毎に乗員の体重を入力するよう表示を行う。乗員はこの表示に基づいて、例えば、液晶パネル上に表示されたテンキーボタンを押してタッチ入力により直接、体重を入力する。他の入力方法として、音声認識により間接的に体重を入力する構成としてもよい。
【００２０】
以上のように、本実施の形態における生体認証システムでは、生体情報入力手段により乗員の体重情報を直接的または間接的に入力可能なので、正確な体重情報を取得することができる。
【００２１】
（実施の形態２）
図２は、本発明の第２の実施の形態における生体認証システムのブロック図である。図２において、本実施の形態における生体認証システムは、着座センサ４、車両の乗員となりうる生体の生体情報として少なくとも前記生体の識別情報としてのＩＤと体重情報とを記憶した生体情報記憶手段としてのハードディスク７、ハードディスク７に記憶されたＩＤを表示する表示手段としての液晶パネル８、液晶パネル８により表示されたＩＤを選択可能な情報選択手段としてのリモコン９、リモコン９で選択されたＩＤに対応する体重情報をハードディスク７から取得する体重情報取得手段１０、ハードディスク７にＩＤと体重情報とを記憶させる際の入力部１１とを備えている。
【００２２】
ＩＤとしては、例えば、氏名や個人毎に取り決めた文字列や数字列、遺伝子情報等を使用する。体重情報取得手段１０は着座センサ４やハードディスク７、液晶パネル８、リモコン９を制御する制御手段と兼用している。ハードディスク７、液晶パネル８、リモコン９はナビゲーション装置等と兼用してもよい。入力部１１はリモコン９と兼用してもよい。
【００２３】
以上のように構成された生体認証システムについて、以下その動作、作用を説明する。図３は本実施の形態における体重情報の取得手順を示すフローチャートである。図３において、まず、乗員が座席１に着座してステップ２０１で着座センサ４が乗員の着座を検出すると、ステップ２０２で制御手段１０がハードディスク７からＩＤを読み出し、液晶パネル８にＩＤのリストを表示する。ここで、予めハードディスク７には車両の乗員となりうる生体のＩＤと体重とが登録・記憶されている。次に、ステップ２０３で、リモコン９を操作して、表示されたＩＤのリストから座席毎に乗員の該当するＩＤを選択する。すると、ステップ２０４で、制御手段１０がハードディスク７から選択されたＩＤに対応する体重情報を取得する。
【００２４】
尚、ＩＤのリストに乗員の該当するＩＤがない場合は、新規にＩＤと体重情報を、リモコン９またはに入力部１１から入力してハードディスク７に記憶する。また、ハードディスク７における体重情報の記憶方法として、例えば、リモコン９またはに入力部１１からの入力により、ハードディスク７に乗員となりうる生体のアドレス帳を作成し、その１つの項目として体重情報を登録・記憶するようにしてもよい。
【００２５】
以上のように、本実施の形態における生体認証システムでは、予め生体情報記憶手段に車両の乗員となりうる生体のＩＤと体重とを登録・記憶しておくと、それ以降は表示手段に表示される乗員のＩＤのリストから当該ＩＤを選択すると、選択されたＩＤに対応する体重情報を生体情報記憶手段から取得することができるので、乗車する度に体重を入力する必要が無く、利便性が向上する。
【００２６】
（実施の形態３）
図４は、本発明の第３の実施の形態における生体認証システムのブロック図である。図４において、本実施の形態における生体認証システムは、着座センサ４、車両の乗員となりうる生体の生体情報として少なくとも前記生体の体重情報を記憶した携帯可能な生体情報記憶手段としての携帯型電話１２、携帯型電話１２に記憶された体重情報を取得する体重情報取得手段１３、測定した体重情報を携帯型電話１２に書き込み可能な体重測定手段としての体重計１４とを備えている。
【００２７】
体重情報取得手段１０は着座センサ４を制御する制御手段と兼用している。制御手段（体重情報取得手段）１０と携帯型電話１２とは無線で通信可能となっている。また、携帯型電話１２と体重計１４とは有線または無線で通信可能となっている。体重情報は携帯型電話１２が内部メモリに有している電話帳またはアドレス帳において、携帯型電話の所有者情報の１つの項目として登録・記憶されている。
【００２８】
以上のように構成された生体認証システムについて、以下その動作、作用を説明する。図５は本実施の形態における体重情報の取得手順を示すフローチャートである。図５において、まず、乗員が携帯型電話１２を携帯して座席１に着座し、ステップ３０１で着座センサ４が乗員の着座を検出すると、ステップ３０２で制御手段１０と携帯型電話１２とが通信し、携帯型電話１２に記憶されている所有者情報の中から体重情報を制御手段１０へ送信する。
【００２９】
尚、携帯型電話１２の所有者が体重計１４を使用する毎に、測定された体重情報は携帯型電話１２に書き込まれて体重情報が更新される。
【００３０】
以上のように、本実施の形態における生体認証システムでは、生体情報記憶手段として携帯型電話に生体の体重情報を記憶し、乗員が前記生体情報記憶手段を携帯して乗車すると、体重情報取得手段が前記生体情報記憶手段に記憶された体重情報を取得するので、乗員が体重を入力したり、ＩＤを選択する必要がなく、利便性がさらに向上する。
【００３１】
また、測定した体重情報を生体情報記憶手段に書き込み可能な体重測定手段を備えたもので、体重測定の度に手動で生体情報記憶手段に書き込みを行う必要が無く、利便性が向上する。
【００３２】
尚、本実施の形態では生体情報記憶手段として携帯型電話を用いたが、生体情報記憶手段としてＩＣカードや磁気タグ等の他の携帯可能な記憶手段を用いてもよい。
【００３３】
（実施の形態４）
図６は、本発明の第４の実施の形態における生体認証システムのブロック図である。図６において、本実施の形態における生体認証システムは、着座センサ４、車両の乗員となりうる生体の生体情報として少なくとも前記生体のＩＤと体重情報とを記憶した生体情報記憶手段としてのハードディスク７、前記生体のＩＤを記憶した携帯可能な識別情報記憶手段としての磁気タグ１５、磁気タグ１５に記憶されたＩＤを取得する識別情報取得手段１６、識別情報取得手段１６により取得されたＩＤに対応する体重情報をハードディスク７から取得する体重情報取得手段１７、測定した体重情報をインターネット（通信ネットワーク）１９を介してハードディスク７に書き込み可能な体重測定手段としての体重計１８とを備えている。体重情報取得手段１７は着座センサ４やハードディスク７、識別情報取得手段１６を制御し、インターネット１９と接続可能な制御手段と兼用している。
【００３４】
以上のように構成された生体認証システムについて、以下その動作、作用を説明する。図７は本実施の形態における体重情報の取得手順を示すフローチャートである。図７において、まず、磁気タグ１５を携帯した乗員が座席１に着座してステップ４０１で着座センサ４が乗員の着座を検出すると、ステップ４０２で識別情報取得手段１６が磁気タグ１５に記憶された乗員のＩＤを取得する。そして、ステップ４０３で取得されたＩＤに対応する体重情報を制御手段１７がハードディスク７から取得する。
【００３５】
尚、乗員が宅内等で体重計１８を使用する毎に、測定された体重情報はインターネット１９を介してハードディスク７に書き込まれて体重情報が更新される。
【００３６】
以上のように、本実施の形態における生体認証システムでは、識別情報記憶手段として磁気タグに生体のＩＤを記憶し、予め生体情報記憶手段に車両の乗員となりうる生体のＩＤと体重とを登録・記憶しておくと、それ以降は乗員が前記識別情報記憶手段を携帯して乗車すると、前記識別情報取得手段が前記識別情報記憶手段に記憶された乗員のＩＤを取得し、取得されたＩＤに対応する体重情報を前記体重情報取得手段が前記生体情報記憶手段から取得するので、第３の実施の形態の生体認証システムと同様に、乗員が体重を入力したり、ＩＤを選択する必要がなく、利便性がさらに向上する。
【００３７】
尚、本実施の形態では識別情報記憶手段として磁気タグを用いたが、識別情報記憶手段としてＩＣカードや携帯型電話等の他の携帯可能な記憶手段を用いてもよい。
【００３８】
（実施の形態５）
図８は、本発明の第５の実施の形態における生体認証システムのブロック図である。図８において、本実施の形態における生体認証システムは、着座センサ４、インターネットに接続されたサーバ２０に内蔵され、生体情報記憶手段に車両の乗員となりうる生体のＩＤと体重とを登録・記憶したハードディスク２１、前記生体のＩＤを記憶した携帯可能な識別情報記憶手段としての磁気タグ１５、磁気タグ１５に記憶されたＩＤを取得する識別情報取得手段１６、識別情報取得手段１６により取得されたＩＤに対応する体重情報をインターネット１９を介してハードディスク２１から取得する体重情報取得手段２２、測定した体重情報をインターネット１９を介してハードディスク２１に書き込み可能な体重測定手段としての体重計１８とを備えている。
【００３９】
体重情報取得手段２２は着座センサ４や識別情報取得手段１６を制御し、インターネット１９と接続可能な制御手段と兼用している。また、サーバ２０は、例えば、車両のオーナー宅やカーメーカ、車両向け情報サービス会社、乗員が加入するインターネットプロバイダー等、車両外の場所に設置されている。
【００４０】
以上のように構成された生体認証システムについて、以下その動作、作用を説明する。図９は本実施の形態における体重情報の取得手順を示すフローチャートである。図９において、まず、磁気タグ１５を携帯した乗員が座席１に着座してステップ５０１で着座センサ４が乗員の着座を検出すると、ステップ５０２で識別情報取得手段１６が磁気タグ１５に記憶された乗員のＩＤを取得する。そして、ステップ５０３で、制御手段２２がサーバ２０にアクセスし、ステップ５０４で、取得されたＩＤに対応する体重情報を制御手段２２がハードディスク２１から取得する。
【００４１】
尚、乗員が宅内等で体重計１８を使用する毎に、測定された体重情報はインターネット１９を介してハードディスク２１に書き込まれて体重情報が更新される。
【００４２】
以上のように、本実施の形態における生体認証システムでは、車両外に設置されたサーバに生体情報記憶手段を内蔵するので、第４の実施の形態の生体認証システムのように車両側こ生体情報を記憶する専用の記憶手段を設ける必要がなくなり、システムの簡素化が図れる。
【００４３】
尚、第４および第５の実施の形態における生体認証システムで、識別情報記憶手段をスマートエントリーシステム用のＩＤカードと兼用してもよく、ＩＤカードを多用途に使用できて使い勝手がよい。
【００４４】
また、携帯可能な識別情報記憶手段を使用する代わりに、車両に指紋センサや虹彩センサ、声紋センサ等の個人認証手段を設置して乗員の個人認証を行い、認証情報と対応する体重情報をハードディスク７、２１から取得する構成としてもよく、乗員が体重を入力したり、ＩＤを選択する必要がなく、利便性が向上する。
【００４５】
また、生体情報として乗員の身長情報もハードディスク７、２１に記憶する構成としてもよく、記憶した身長と体重からＢＭＩ指標を演算して表示する等、乗員毎の体重管理に応用が可能となり、利便性が向上する。
【００４６】
また、以上の実施の形態における生体認証システムでは、車両の乗員となりうる生体の生体情報として前記生体の体重情報を入力する構成であったが、宅内に設置した生体センサや携帯型の生体センサ、体内埋め込み型の生体センサ等により、体温や血圧、血中酸素濃度、心拍数、呼吸数等、体重以外の生体情報を検出してインターネット１９を介して個人ＩＤと共にハードディスク２１に記憶する構成としてもよい。この構成によれば、乗員が車両に乗車すると上記実施の形態と同様に、識別情報記憶手段に記憶された乗員のＩＤを取得し、制御手段がサーバにアクセスして、取得されたＩＤに対応する体重以外の生体情報を制御手段がハードディスクから取得できる。これにより、例えば、乗車以前のドライバーの生体情報の履歴から疲労度等の体調情報を推定し、以降の運転での休憩タイミングをアドバイスする等の運転支援システムを構築することができ、安全性や利便性が向上する。
【００４７】
なお、本実施の形態では生体認証システムは着座すると動作開始するようにしたが、これに限らず、運転席側のドアを外から開けたり、キーを差し込んでエンジンを始動したり、カーナビゲーション（車両搭載機器）が起動したときにシステムが動作開始するようにしてもよい。
【００４８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４９】
以上のように、本発明にかかる生体認証システムおよびそのプログラムは、車両で個人の体重情報の管理が可能となるので、例えば、生体情報として乗員の食事内容の履歴をハードディスクに記憶する構成として乗員のダイエット支援システムを構築する等、健康管理の支援システムとしても適用できる。
【図面の簡単な説明】
【００５０】
【図１】本発明の実施の形態１における構成図
【図２】本発明の実施の形態２におけるブロック図
【図３】本発明の実施の形態２における体重情報の取得手順を示すフローチャート
【図４】本発明の実施の形態３におけるブロック図
【図５】本発明の実施の形態３における体重情報の取得手順を示すフローチャート
【図６】本発明の実施の形態４におけるブロック図
【図７】本発明の実施の形態４における体重情報の取得手順を示すフローチャート
【図８】本発明の実施の形態５におけるブロック図
【図９】本発明の実施の形態５における体重情報の取得手順を示すフローチャート
【図１０】従来の生体認証システムの構成図
【符号の説明】
【００５１】
６  生体情報入力手段
７  ハードディスク（生体情報記憶手段）
８  液晶パネル（表示手段）
９  リモコン（情報選択手段）
１０  制御手段（体重情報取得手段）
１２  携帯型電話（生体情報記憶手段）
１３  体重情報取得手段
１４  体重計（体重測定手段）
１５  磁気タグ（識別情報記憶手段）
１６  識別情報取得手段
１７  制御手段（体重情報取得手段）
１８  体重計（体重測定手段）
１９  インターネット（情報ネットワーク）
２０  サーバ
２１  ハードディスク（生体情報記憶手段）
２２  制御手段（体重情報取得手段）
【図１】
2005206098.tif 000003
【図２】
2005206098.tif 000004
【図３】
2005206098.tif 000005
【図４】
2005206098.tif 000006
【図５】
2005206098.tif 000007
【図６】
2005206098.tif 000008
【図７】
2005206098.tif 000009
【図８】
2005206098.tif 000010
【図９】
2005206098.tif 000011
【図１０】
2005206098.tif 000012